(57)【要約】【課題】本発明はマウスパッドを開示した。【解決手段】マウスパッドを含み、前記マウスパッドの前端面には手首保護ブロックが固定され、前記手首保護ブロックの中には手首保護溝が設置され、前記手首保護溝の前端壁には外部空間に連通しているマッサージ溝が設置され、前記手首保護溝の中には起動機構が設置され、前記起動機構は前記手首保護溝の後端壁の中に位置している二つの移動溝を含み、当該装置はその形の設計が手首にぴったり合うため、マウスを操作する際に使用者の手首とマウスパッドとの摩擦を減少でき、しかもマウスを使用してしばらくした後に自動的に使用者の手首をマッサージでき、使用者の手首の疲れを取り、使い心地をよくする。【選択図】図１
2020177612.tif 000002
【特許請求の範囲】
【請求項１】
マウスパッドを含み、前記マウスパッドの前端面には手首保護ブロックが固定され、前記手首保護ブロックの中には手首保護溝が設置され、前記手首保護溝の前端壁には外部空間に連通しているマッサージ溝が設置され、前記手首保護溝の中には起動機構が設置され、前記起動機構は前記手首保護溝の後端壁の中に位置している二つの移動溝を含み、下側の前記移動溝の中には前端が前記手首保護溝の中に位置している移動ブロックがスライドできるように設置され、前記移動溝の中の移動ブロックの左端面には左端が前記移動溝の左端壁と固定的に連結されている移動ばねが上下対称的に固定され、前記移動ブロックの前端には移動ロッドが固定され、前記移動ロッドの上端面には絶縁ロッドが固定され、下側の前記移動ロッドの前端面がロープにより前記手首保護溝の前端壁と固定的に連結され、上側の前記移動ロッドの前端面と前記手首保護溝の前端面とが糸により固定的に連結され、前記糸が前記手首保護溝の後端壁と固定的に連結されているガイドブロックを通し、二つの絶縁ロッドの間には前記手首保護溝の後端壁と固定的に連結されている定位ロッドが設置され、前記定位ロッドには回転ロッドが回転できるように設置され、前記定位ロッドと前記回転ロッドとの間には圧力ばねが設置され、前記起動機構の右側にはマッサージ機構が設置され、前記マッサージ機構は前記手首保護溝の後端壁の中に位置している昇降溝を含み、前記昇降溝の下端壁には昇降ばねが固定され、前記昇降ばねの上端には前記昇降溝とスライドできるように連結されている昇降ブロックが固定され、前記昇降ブロックの前端が前記手首保護溝の中に位置しており、前記昇降ブロックの前端には磁石が固定され、前記磁石の前端面には伝動軸が回転できるように設置され、前記伝動軸には伝動ギヤが固定され、前記伝動ギヤの前端面には弧状ブロックが固定され、前記伝動ギヤの上側には前記手首保護溝の後端壁と固定的に連結されているＵ型ブロックが設置され、前記Ｕ型ブロックの中には前記Ｕ型ブロックの前後端面を貫通している四つの方形溝が対称的に設置され、前記方形溝の左端壁には弾性溝が設置され、前記弾性溝の上端壁には弾性ばねが固定され、前記弾性ばねの下端には前記弾性溝とスライドできるように連結されている弾性ロッドが固定され、前記弾性ロッドの右端が前記方形溝の中に位置しており、前記弾性ロッドの右端には後端が前記方形溝の後端壁を貫通しているマッサージロッドが固定され、また、前記絶縁ロッドが運動して前記回転ロッドから離れる時、前記回転ロッドが前記圧力ばねの復帰作用のもとで回転することを特徴とするマウスパッド。
【請求項２】
前記起動機構はまた二つの上下対称の鉄ブロックを含み、前記鉄ブロックの後端が前記手首保護溝の後端壁と固定的に連結され、二つの前記鉄ブロックが電線により連結され、前記電線には電磁石と、電池と、モータとが設置され、前記電磁石と、前記電池と、前記モータとがいずれも前記手首保護溝の後端壁と固定的に連結され、前記モータの前端面には駆動軸が動力が伝達できるように連結され、前記駆動軸には出力ロッドが固定され、前記出力ロッドの前側には前記駆動軸と固定的に連結されている駆動ギヤが設置され、また、前記回転ロッドが一定の位置まで回転する時に二つの前記鉄ブロックを連通することができることを特徴とする請求項１に記載のマウスパッド。
【請求項３】
前記マッサージ機構はまた前記手首保護溝の後端壁と固定的に連結されている中心軸を含み、前記中心軸には伝動ロッドが回転できるように設置され、前記中心軸と前記伝動ロッドとの間には捻りばねが設置され、前記手首保護溝の後端壁には広溝が設置され、前記広溝の中には棒状ブロックがスライドできるように設置され、前記棒状ブロックの下端面には下端が前記広溝の下端壁と固定的に連結されている延伸ばねが左右対称的に固定され、前記棒状ブロックの前端面には前端が前記手首保護溝の中に位置している短ロッドが固定され、前記棒状ブロックの上端面には四つの排出ロッドが均一的に固定され、前記広溝の上端壁の中には横溝が設置され、前記広溝と前記横溝とが四つの阻み溝により連通され、前記横溝の左端壁には横向きばねが固定され、前記横向きばねの右端には前記横溝とスライドできるように連結されている横向きブロックが固定され、前記横向きブロックの下端面には垂直溝が設置され、前記垂直溝の上端壁には垂直ばねが固定され、前記垂直ばねの下端には下端が前記横溝の中に位置している台形ブロックが固定され、前記横向きブロックの前端面には四つの計時ロッドが均一的に固定され、また、前記出力ロッドが回転して前記計時ロッドを推し動かして左方へ運動させることができることを特徴とする請求項１に記載のマウスパッド。
【発明の詳細な説明】
【技術分野】
【０００１】
本発明はパソコンアクセサリー分野を取り上げて、具体的にはマウスパッドである。
【背景技術】
【０００２】
マウスパッドはマウスを置くための物であり、ほとんどのマウスパッドの材質は表面が滑らかな生地であり、これによりマウスを操作する過程における摩擦力を減らし、しかし、現有のほとんどのマウスパッドは機能が単一であり、長く使用すると手首の部分が受ける損害が大きく、使い勝手が悪い。
【先行技術文献】
【特許文献】
【０００３】
【特許文献１】中国特許出願公開第１０７８３１９３２号明細書
【発明の概要】
【発明が解決しようとする課題】
【０００４】
本発明はマウスパッドを提供し、上記背景技術において提出した問題を解決することを目的とする。
【課題を解決するための手段】
【０００５】
上記の目的を実現するために、本発明は以下の技術プランを提供する：マウスパッドは、マウスパッドを含み、前記マウスパッドの前端面には手首保護ブロックが固定され、前記手首保護ブロックの中には手首保護溝が設置され、前記手首保護溝の前端壁には外部空間に連通しているマッサージ溝が設置され、前記手首保護溝の中には起動機構が設置され、前記起動機構は前記手首保護溝の後端壁の中に位置している二つの移動溝を含み、下側の前記移動溝の中には前端が前記手首保護溝の中に位置している移動ブロックがスライドできるように設置され、前記移動溝の中の移動ブロックの左端面には左端が前記移動溝の左端壁と固定的に連結されている移動ばねが上下対称的に固定され、前記移動ブロックの前端には移動ロッドが固定され、前記移動ロッドの上端面には絶縁ロッドが固定され、下側の前記移動ロッドの前端面がロープにより前記手首保護溝の前端壁と固定的に連結され、上側の前記移動ロッドの前端面と前記手首保護溝の前端面とが糸により固定的に連結され、前記糸が前記手首保護溝の後端壁と固定的に連結されているガイドブロックを通し、二つの絶縁ロッドの間には前記手首保護溝の後端壁と固定的に連結されている定位ロッドが設置され、前記定位ロッドには回転ロッドが回転できるように設置され、前記定位ロッドと前記回転ロッドとの間には圧力ばねが設置され、前記起動機構の右側にはマッサージ機構が設置され、前記マッサージ機構は前記手首保護溝の後端壁の中に位置している昇降溝を含み、前記昇降溝の下端壁には昇降ばねが固定され、前記昇降ばねの上端には前記昇降溝とスライドできるように連結されている昇降ブロックが固定され、前記昇降ブロックの前端が前記手首保護溝の中に位置しており、前記昇降ブロックの前端には磁石が固定され、前記磁石の前端面には伝動軸が回転できるように設置され、前記伝動軸には伝動ギヤが固定され、前記伝動ギヤの前端面には弧状ブロックが固定され、前記伝動ギヤの上側には前記手首保護溝の後端壁と固定的に連結されているＵ型ブロックが設置され、前記Ｕ型ブロックの中には前記Ｕ型ブロックの前後端面を貫通している四つの方形溝が対称的に設置され、前記方形溝の左端壁には弾性溝が設置され、前記弾性溝の上端壁には弾性ばねが固定され、前記弾性ばねの下端には前記弾性溝とスライドできるように連結されている弾性ロッドが固定され、前記弾性ロッドの右端が前記方形溝の中に位置しており、前記弾性ロッドの右端には後端が前記方形溝の後端壁を貫通しているマッサージロッドが固定され、また、前記絶縁ロッドが運動して前記回転ロッドから離れる時、前記回転ロッドが前記圧力ばねの復帰作用のもとで回転する。
【０００６】
好ましくは、前記起動機構はまた二つの上下対称の鉄ブロックを含み、前記鉄ブロックの後端が前記手首保護溝の後端壁と固定的に連結され、二つの前記鉄ブロックが電線により連結され、前記電線には電磁石と、電池と、モータとが設置され、前記電磁石と、前記電池と、前記モータとがいずれも前記手首保護溝の後端壁と固定的に連結され、前記モータの前端面には駆動軸が動力が伝達できるように連結され、前記駆動軸には出力ロッドが固定され、前記出力ロッドの前側には前記駆動軸と固定的に連結されている駆動ギヤが設置され、また、前記回転ロッドが一定の位置まで回転する時に二つの前記鉄ブロックを連通することができる。
【０００７】
好ましくは、前記マッサージ機構はまた前記手首保護溝の後端壁と固定的に連結されている中心軸を含み、前記中心軸には伝動ロッドが回転できるように設置され、前記中心軸と前記伝動ロッドとの間には捻りばねが設置され、前記手首保護溝の後端壁には広溝が設置され、前記広溝の中には棒状ブロックがスライドできるように設置され、前記棒状ブロックの下端面には下端が前記広溝の下端壁と固定的に連結されている延伸ばねが左右対称的に固定され、前記棒状ブロックの前端面には前端が前記手首保護溝の中に位置している短ロッドが固定され、前記棒状ブロックの上端面には四つの排出ロッドが均一的に固定され、前記広溝の上端壁の中には横溝が設置され、前記広溝と前記横溝とが四つの阻み溝により連通され、前記横溝の左端壁には横向きばねが固定され、前記横向きばねの右端には前記横溝とスライドできるように連結されている横向きブロックが固定され、前記横向きブロックの下端面には垂直溝が設置され、前記垂直溝の上端壁には垂直ばねが固定され、前記垂直ばねの下端には下端が前記横溝の中に位置している台形ブロックが固定され、前記横向きブロックの前端面には四つの計時ロッドが均一的に固定され、また、前記出力ロッドが回転して前記計時ロッドを推し動かして左方へ運動させることができる。
【発明の効果】
【０００８】
以上により、本発明の有益効果は：当該装置はその形の設計が手首にぴったり合うため、マウスを操作する際に使用者の手首とマウスパッドとの摩擦を減少でき、しかもマウスを使用してしばらくした後に自動的に使用者の手首をマッサージでき、使用者の手首の疲れを取り、使い心地をよくする。
【図面の簡単な説明】
【０００９】
以下に図１〜５を交えて本発明について詳しく説明する。便利に叙述するために、後文に出る方位を下記の通りに規定する：後文に出る上下左右前後方向は図１本体の投影関係の上下左右前後方向と一致する。
【００１０】
【図１】図１は本発明のマウスパッドの全体断面の正面構成模式図
【図２】図２は本発明のマウスパッドの中のＵ型ブロックの拡大構成模式図
【図３】図３は本発明のマウスパッドの中の全体底面の断面構成模式図
【図４】図４は本発明のマウスパッドの中のＵ型ブロックの左側面の断面構成模式図
【図５】図５は本発明のマウスパッドの中の広溝の正面断面の拡大構成模式図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
図１〜５を参照し、本発明が提供する実施例は：マウスパッドは、マウスパッド１０を含み、前記マウスパッド１０の前端面には手首保護ブロック１２が固定され、前記手首保護ブロック１２の中には手首保護溝２２が設置され、前記手首保護溝２２の前端壁には外部空間に連通しているマッサージ溝４６が設置され、前記手首保護溝２２の中には起動機構７０が設置され、前記起動機構７０は前記手首保護溝２２の後端壁の中に位置している二つの移動溝３０を含み、下側の前記移動溝３０の中には前端が前記手首保護溝２２の中に位置している移動ブロック３１がスライドできるように設置され、前記移動溝３０の中の移動ブロック３１の左端面には左端が前記移動溝３０の左端壁と固定的に連結されている移動ばね３２が上下対称的に固定され、前記移動ブロック３１の前端には移動ロッド２９が固定され、前記移動ロッド２９の上端面には絶縁ロッド１３が固定され、下側の前記移動ロッド２９の前端面がロープ４５により前記手首保護溝２２の前端壁と固定的に連結され、上側の前記移動ロッド２９の前端面と前記手首保護溝２２の前端面とが糸４７により固定的に連結され、前記糸４７が前記手首保護溝２２の後端壁と固定的に連結されているガイドブロック２４を通し、二つの絶縁ロッド１３の間には前記手首保護溝２２の後端壁と固定的に連結されている定位ロッド１５が設置され、前記定位ロッド１５には回転ロッド１６が回転できるように設置され、前記定位ロッド１５と前記回転ロッド１６との間には圧力ばね１４が設置され、前記起動機構７０の右側にはマッサージ機構７１が設置され、前記マッサージ機構７１は前記手首保護溝２２の後端壁の中に位置している昇降溝２６を含み、前記昇降溝２６の下端壁には昇降ばね２８が固定され、前記昇降ばね２８の上端には前記昇降溝２６とスライドできるように連結されている昇降ブロック６４が固定され、前記昇降ブロック６４の前端が前記手首保護溝２２の中に位置しており、前記昇降ブロック６４の前端には磁石２１が固定され、前記磁石２１の前端面には伝動軸２０が回転できるように設置され、前記伝動軸２０には伝動ギヤ２３が固定され、前記伝動ギヤ２３の前端面には弧状ブロック２５が固定され、前記伝動ギヤ２３の上側には前記手首保護溝２２の後端壁と固定的に連結されているＵ型ブロック１７が設置され、前記Ｕ型ブロック１７の中には前記Ｕ型ブロック１７の前後端面を貫通している四つの方形溝４３が対称的に設置され、前記方形溝４３の左端壁には弾性溝５２が設置され、前記弾性溝５２の上端壁には弾性ばね５３が固定され、前記弾性ばね５３の下端には前記弾性溝５２とスライドできるように連結されている弾性ロッド５１が固定され、前記弾性ロッド５１の右端が前記方形溝４３の中に位置しており、前記弾性ロッド５１の右端には後端が前記方形溝４３の後端壁を貫通しているマッサージロッド４４が固定され、また、前記絶縁ロッド１３が運動して前記回転ロッド１６から離れる時、前記回転ロッド１６が前記圧力ばね１４の復帰作用のもとで回転する。
【００１３】
有益的には、前記起動機構７０はまた二つの上下対称の鉄ブロック１１を含み、前記鉄ブロック１１の後端が前記手首保護溝２２の後端壁と固定的に連結され、二つの前記鉄ブロック１１が電線１８により連結され、前記電線１８には電磁石２７と、電池１９と、モータ３８とが設置され、前記電磁石２７と、前記電池１９と、前記モータ３８とがいずれも前記手首保護溝２２の後端壁と固定的に連結され、前記モータ３８の前端面には駆動軸３９が動力が伝達できるように連結され、前記駆動軸３９には出力ロッド３７が固定され、前記出力ロッド３７の前側には前記駆動軸３９と固定的に連結されている駆動ギヤ４０が設置され、また、前記回転ロッド１６が一定の位置まで回転する時に二つの前記鉄ブロック１１を連通することができる。
【００１４】
有益的には、前記マッサージ機構７１はまた前記手首保護溝２２の後端壁と固定的に連結されている中心軸６２を含み、前記中心軸６２には伝動ロッド６３が回転できるように設置され、前記中心軸６２と前記伝動ロッド６３との間には捻りばね６１が設置され、前記手首保護溝２２の後端壁には広溝３４が設置され、前記広溝３４の中には棒状ブロック５４がスライドできるように設置され、前記棒状ブロック５４の下端面には下端が前記広溝３４の下端壁と固定的に連結されている延伸ばね５５が左右対称的に固定され、前記棒状ブロック５４の前端面には前端が前記手首保護溝２２の中に位置している短ロッド３３が固定され、前記棒状ブロック５４の上端面には四つの排出ロッド５６が均一的に固定され、前記広溝３４の上端壁の中には横溝３６が設置され、前記広溝３４と前記横溝３６とが四つの阻み溝５７により連通され、前記横溝３６の左端壁には横向きばね３５が固定され、前記横向きばね３５の右端には前記横溝３６とスライドできるように連結されている横向きブロック４１が固定され、前記横向きブロック４１の下端面には垂直溝５８が設置され、前記垂直溝５８の上端壁には垂直ばね５９が固定され、前記垂直ばね５９の下端には下端が前記横溝３６の中に位置している台形ブロック６０が固定され、前記横向きブロック４１の前端面には四つの計時ロッド４２が均一的に固定され、また、前記出力ロッド３７が回転して前記計時ロッド４２を推し動かして左方へ運動させることができる。
【００１５】
以下、出願人は付図１−５及び上記の本出願のマウスパッドの具体的な構成を参照して本出願のマウスパッドの使用方法を詳しく紹介する：初期状態において、圧力ばね１４と、垂直ばね５９と、移動ばね３２とが圧縮状態にある。
【００１６】
使用する時、手首を手首保護ブロック１２に置き、手首で手首保護ブロック１２を押すことにより手首保護ブロック１２を変形させ、これによりロープ４５と糸４７を緩め、移動ばね３２が復帰して移動ロッド２９を連動させて運動させ、これにより回転ロッド１６が移動ロッド２９の阻みから離脱し、圧力ばね１４が復帰して回転ロッド１６を連動させて回転させて二つの鉄ブロック１１に連通させ、これにより電池１９が作動し、電線１８の伝導により、電磁石２７とモータ３８とが通電し、モータ３８が通電して駆動軸３９を連動させて回転させ、これにより駆動ギヤ４０と出力ロッド３７とを連動させて回転させ、電磁石２７が磁力を生じ、磁石２１に反発し、これにより伝動ギヤ２３を連動させて上方へ運動させ、伝動ギヤ２３が計時ロッド４２に阻まれ、出力ロッド３７が回転して計時ロッド４２を推し動かして左方へ運動させる。
【００１７】
しばらくして計時ロッド４２が伝動ギヤ２３から離脱する位置まで運動し、伝動ギヤ２３が上方へ運動して駆動ギヤ４０と噛み合い、これにより弧状ブロック２５を連動させて回転させ、弧状ブロック２５が回転してマッサージロッド４４を推し動かして上昇または下降させ、これにより手首をマッサージし、マッサージし終わった後、磁石２１が下方へ運動して伝動ロッド６３を推し動かして時計回りに揺り動かし、これにより短ロッド３３を推し動かして上昇させ、短ロッド３３が上昇して台形ブロック６０を阻み溝５７の中から推し出し、装置が復帰する。
【００１８】
本発明の有益効果は：当該装置はその形の設計が手首にぴったり合うため、マウスを操作する際に使用者の手首とマウスパッドとの摩擦を減少でき、しかもマウスを使用してしばらくした後に自動的に使用者の手首をマッサージでき、使用者の手首の疲れを取り、使い心地をよくする。
【００１９】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020177612.tif 000003
【図２】
2020177612.tif 000004
【図３】
2020177612.tif 000005
【図４】
2020177612.tif 000006
【図５】
2020177612.tif 000007
【手続補正書】
【提出日】令和1年7月16日(2019.7.16)
【手続補正１】
【補正対象書類名】特許請求の範囲
【補正対象項目名】全文
【補正方法】変更
【補正の内容】
【特許請求の範囲】
【請求項１】
マウスパッドを含み、前記マウスパッドの前端面には手首保護ブロックが固定され、前記手首保護ブロックの中には手首保護溝が設置され、前記手首保護溝の前端壁には外部空間に連通しているマッサージ溝が設置され、前記手首保護溝の中には起動機構が設置され、前記起動機構は前記手首保護溝の後端壁の中に位置している二つの移動溝を含み、下側の前記移動溝の中には前端が前記手首保護溝の中に位置している移動ブロックがスライドできるように設置され、前記移動溝の中の移動ブロックの左端面には左端が前記移動溝の左端壁と固定的に連結されている移動ばねが上下対称的に固定され、前記移動ブロックの前端には移動ロッドが固定され、前記移動ロッドの上端面には絶縁ロッドが固定され、下側の前記移動ロッドの前端面がロープにより前記手首保護溝の前端壁と固定的に連結され、上側の前記移動ロッドの前端面と前記手首保護溝の前端面とが糸により固定的に連結され、前記糸が前記手首保護溝の後端壁と固定的に連結されているガイドブロックを通し、二つの絶縁ロッドの間には前記手首保護溝の後端壁と固定的に連結されている定位ロッドが設置され、前記定位ロッドには回転ロッドが回転できるように設置され、前記定位ロッドと前記回転ロッドとの間には圧力ばねが設置され、前記起動機構の右側にはマッサージ機構が設置され、前記マッサージ機構は前記手首保護溝の後端壁の中に位置している昇降溝を含み、前記昇降溝の下端壁には昇降ばねが固定され、前記昇降ばねの上端には前記昇降溝とスライドできるように連結されている昇降ブロックが固定され、前記昇降ブロックの前端が前記手首保護溝の中に位置しており、前記昇降ブロックの前端には磁石が固定され、前記磁石の前端面には伝動軸が回転できるように設置され、前記伝動軸には伝動ギヤが固定され、前記伝動ギヤの前端面には弧状ブロックが固定され、前記伝動ギヤの上側には前記手首保護溝の後端壁と固定的に連結されているＵ型ブロックが設置され、前記Ｕ型ブロックの中には前記Ｕ型ブロックの前後端面を貫通している四つの方形溝が対称的に設置され、前記方形溝の左端壁には弾性溝が設置され、前記弾性溝の上端壁には弾性ばねが固定され、前記弾性ばねの下端には前記弾性溝とスライドできるように連結されている弾性ロッドが固定され、前記弾性ロッドの右端が前記方形溝の中に位置しており、前記弾性ロッドの右端には後端が前記方形溝の後端壁を貫通しているマッサージロッドが固定され、また、前記絶縁ロッドが運動して前記回転ロッドから離れる時、前記回転ロッドが前記圧力ばねの復帰作用のもとで回転し、
前記起動機構はまた二つの上下対称の鉄ブロックを含み、前記鉄ブロックの後端が前記手首保護溝の後端壁と固定的に連結され、二つの前記鉄ブロックが電線により連結され、前記電線には電磁石と、電池と、モータとが設置され、前記電磁石と、前記電池と、前記モータとがいずれも前記手首保護溝の後端壁と固定的に連結され、前記モータの前端面には駆動軸が動力が伝達できるように連結され、前記駆動軸には出力ロッドが固定され、前記出力ロッドの前側には前記駆動軸と固定的に連結されている駆動ギヤが設置され、また、前記回転ロッドが一定の位置まで回転する時に二つの前記鉄ブロックを連通することができ、
前記マッサージ機構はまた前記手首保護溝の後端壁と固定的に連結されている中心軸を含み、前記中心軸には伝動ロッドが回転できるように設置され、前記中心軸と前記伝動ロッドとの間には捻りばねが設置され、前記手首保護溝の後端壁には広溝が設置され、前記広溝の中には棒状ブロックがスライドできるように設置され、前記棒状ブロックの下端面には下端が前記広溝の下端壁と固定的に連結されている延伸ばねが左右対称的に固定され、前記棒状ブロックの前端面には前端が前記手首保護溝の中に位置している短ロッドが固定され、前記棒状ブロックの上端面には四つの排出ロッドが均一的に固定され、前記広溝の上端壁の中には横溝が設置され、前記広溝と前記横溝とが四つの阻み溝により連通され、前記横溝の左端壁には横向きばねが固定され、前記横向きばねの右端には前記横溝とスライドできるように連結されている横向きブロックが固定され、前記横向きブロックの下端面には垂直溝が設置され、前記垂直溝の上端壁には垂直ばねが固定され、前記垂直ばねの下端には下端が前記横溝の中に位置している台形ブロックが固定され、前記横向きブロックの前端面には四つの計時ロッドが均一的に固定され、また、前記出力ロッドが回転して前記計時ロッドを推し動かして左方へ運動させることができることを特徴とするマウスパッド。